(57)【要約】【課題】巻線の巻回工程において、巻線の膨らみ部分を巻回作業を阻害する事無く整形し、巻線の占有率を向上させる巻線整形治具及び巻線整形方法。【解決手段】第１辺部１ａと第２辺部１ｂを持つ整形治具で、巻線がコアの整形治具に対向した面を通過した後に整形治具を巻線に接触させて巻線整形を行い、再び巻線がコアの整形治具に対向した面を通過する前に整形治具を巻線より離すことで、巻回作業を阻害する事無く巻線の整形を行う。【選択図】          図２
2009303464.tif 000002
【特許請求の範囲】
【請求項１】
フライヤー若しくはノズル等でコアに巻線を巻回した際に生じる膨らみ部分を整形する整形治具において、
前記整形治具は前記コアの形状に対応したコアの一辺を押える第１辺部と、
前記第１辺部の一端より略垂直方向に延びコアの他辺を押える第２辺部を持ち、
前記第１辺部及び前記第２辺部にて、前記巻線の膨らみ部分を整形することを特徴とした、巻線の整形治具。
【請求項２】
前記整形治具において、前記第１辺部の他端より、前記第２辺部と略平行に突出した第３辺部を持つことを特徴とする、請求項１に記載の巻線の整形治具。
【請求項３】
前記第３辺部の長さは前記第２辺部に比べ短いことを特徴とする、請求項２に記載の巻線の整形治具。
【請求項４】
前記第２辺部は、前記第３辺部の長さ分、前記コア２の前記第２辺部の対向面の寸法よりも短くなっていることを特徴とする、請求項３に記載の巻線の整形治具。
【請求項５】
前記第２辺部及び／又は前記第３辺部において、巻線に最初に接触する角部が面取りされていることを特徴とする、請求項１乃至４に記載の巻線の整形治具。
【請求項６】
フライヤー若しくはノズル等でコアに巻線を巻回した際に生じる膨らみ部分を整形する整形治具において、
前記整形治具は前記コアの形状に対応した第１辺部及びこの一端より略垂直方向に伸びる第２辺部を持ち、
前記巻線の巻回において、前記巻線が前記コアの前記整形治具に対向した面を通過した後に前記整形治具を前記巻線に接触させて巻線整形を行い、再び前記巻線が前記コアの前記整形治具に対向した面を通過する前に前記整形治具を前記巻線より離すことを特徴とした、巻線の整形方法。
【発明の詳細な説明】
【技術分野】
【０００１】
本発明は、巻線整形治具及びこの巻線整形治具を使用した巻線整形方法に関し、モータのコアへの巻線の巻回時に発生する、巻線の膨らみ部分を整形する治具及び整形方法に関する。
【背景技術】
【０００２】
通常、巻線をモータのコアに巻回する際には、例えば特開２００２−２９１１８３に記載されているように、フライヤーやノズル等を使用して巻回を行う。
【特許文献１】特開２００２−２９１１８３公報（発明の詳細な説明）
【発明の開示】
【発明が解決しようとする課題】
【０００３】
このような巻回工程では、フライヤー等がコアの周りを略円周軌道で回りながら巻線を送り出して巻回を行うため、図４に示すように、コア２と巻線３の間に膨らみ部分Ｘが発生し易くなる。この膨らみ部分Ｘは、巻線３のターン数が増えるにつれて膨らみ度合いが大きくなり、巻線３の占積率が悪化してしまう。なおこの膨らみは、フライヤーの動きが束縛されやすい多極ステータコアにて顕著に発生する。
【０００４】
上記問題点に鑑み、本発明の課題は、巻線の巻回工程において巻線の膨らみ部分Ｘを整形し、巻線の占積率を向上させることにある。
【課題を解決するための手段】
【０００５】
そのような課題を解決するために本発明は、フライヤー若しくはノズル等でコアに巻線を巻回した際に生じる膨らみ部分を整形する整形治具において、整形治具はコアの形状に対応したコアの一辺を押える第１辺部とこの第１辺部の一端より略垂直方向に延びコアの他辺を抑える第２辺部を持ち、その第１辺部及び第２辺部にて、巻線の膨らみ部分を整形することを特徴とする。
【０００６】
この整形治具では、巻線の巻回において、巻線がコアの整形治具に対向した面を通過した後に整形治具を巻線に接触させて巻線整形を行い、再び巻線がコアの整形治具に対向した面を通過する前に整形治具を巻線より離すことで巻線の整形を行うので、巻回作業を阻害する事無く巻線の膨らみ部分を整形することが可能になる。
【０００７】
なお、整形治具は、第１辺部の第２辺部と対向した他端より、第２辺部と略平行に突出した第３辺部を持つことが好ましい。第２辺部と第３辺部でコアを挟み込む形で整形治具が巻線に接触するので、巻線の押さえをより確実に行うことができる。
【０００８】
また、第２辺部は第３辺部の長さ分、コアの第２辺部の対向面の寸法よりも短くなっていることが好ましい。巻線の整形工程ではコアの上面側と下面側とで同形状の２つの整形治具を使用する為、巻線の整形時に整形治具同士が接触する恐れが無くなる。巻線治具は別形状のものを使用することも可能であるが、治具成形金型が２種類必要になったり、巻線を全面で押えにくくなるなどするので、同形状の巻線治具を使用するのが好ましい。
【０００９】
さらに、第２辺部及び／又は第３辺部において、巻線に最初に接触する角部が面取りされていることが好ましい。巻線の整形工程において巻線を角部によって損傷させる恐れがなくなる。
【００１０】
巻線の整形工程であるが、巻線の巻回が全て完了してから整形治具を接触させて整形を行うことも可能であるが、整形時に巻線にかかる負荷が大きくなり、断線等が発生する恐れもあるため、上記のように巻線を巻回するごとに整形作業を行うことが望ましい。
【発明の効果】
【００１１】
本発明においては、巻線の巻回時において、整形治具で巻線の膨らみ部分を整形しながら巻回を行うことができ、巻線の占積率を向上することができる。
【００１２】
また、第２辺部と略平行に突出した第３辺部を持つ整形治具で巻線の整形を行うと、整形治具がコアを挟み込む形になり、巻線の押さえがより確実になる。また、第２辺部が第３辺部の長さ分、コアの第２辺部の対向面の寸法よりも短くなっているので、巻線の整形時に巻線治具同士が接触する恐れが無くなる。
【００１３】
さらに、第２辺部及び第３辺部の巻線が最初に接触する角部が面取りされていると、巻線の整形時に角部によって巻線を損傷させる恐れが無くなる。
【００１４】
この整形治具による整形方法では、巻線がコアの整形治具に対向した面を通過した後に整形治具を巻線に接触させ、再び巻線がコアの整形治具に対向した面を通過する前に整形治具を巻線より離すので、巻回作業を阻害する事無く巻線の膨らみ部分を整形することが可能になる。
【発明を実施するための最良の形態】
【００１５】
次に、本発明の実施形態を添付図面に基づいて説明する。
【実施例１】
【００１６】
図１は本発明の実施例１に係る整形治具を示す外観斜視図、図２は本発明の整形治具による巻線の整形工程を示す動作説明図、図３は本発明の他の実施形態に係る整形治具を示す外観斜視図である。
【００１７】
本発明の整形治具１は、第１辺部１ａ及び、この第１辺部１ａの一端から略垂直に伸びた第２辺部１ｂを持つ断面略Ｌ字状の形状になっている。第１辺部１ａ及び第２辺部１ｂの寸法及び形状は、整形するコア２の巻線３の巻回面に対応している。
【００１８】
また、第１辺部１ａの第２辺部１ｂと対向した一端からは、第２辺部１ｂと略平行に突出した第３辺部１ｃが成形されており、第２辺部１ｂは、この第３辺部１ｃの長さ分、コア２の第２辺部１ｂの対向面の寸法よりも短くなっている。巻線３の整形工程ではコア２の上面側と下面側とで同形状の２つの整形治具１を上下左右反転して使用する為、一方の整形治具１の第２辺部１ｂは他方の整形治具１の第３辺部１ｃと対向し、第２辺部１ｂと第３辺部１ｃの合計長さがコア２の対向面の長さと同じなので、巻線３の整形時に整形治具１同士が接触する恐れが無くなる。
【００１９】
巻線３の巻回時においては、この第１辺部１ａ及び第２辺部１ｂをコア２に巻かれた巻線３に接触させることにより、巻回時に発生する巻線３の膨らみ部分Ｘを整形することができ、巻線３の占積率が向上する。
【００２０】
第３辺部１ｃは、巻線３の整形時において、コア２の第２辺部１ｂとは反対側の面に接触することで、巻線３が巻回されたコア２を第２辺部１ｂと第３辺部１ｃで挟み込むことが可能となり、巻線３の整形をより確実に行うことができる。なお、第２辺部１ｂと第３辺部１ｃは同じ長さでも良いが、巻線整形時に巻線３にかかる負荷が大きくなり、断線等の恐れがあるため、第３辺部１ｃの長さは、第２辺分１ｂに比べ短くなっている。
【００２１】
次に、本発明による巻線の整形工程を、図２を元に説明する。
【００２２】
図２（ａ）に示すように、コア２の上面側と下面側に、第２辺部１ｂと第３辺部１ｃが対向するように上下左右反転した同形状の整形治具１，１が配置されている。フライヤー若しくはノズル等（図示せず）で巻線３をコア２に巻回していき、巻線３がコア２上面側の整形治具１に対向した面を通過すると、図２（ｂ）に示すように整形治具１が移動して巻線３に接触する。この際、整形治具１の第１辺部１ａ及び第２辺部１ｂにより、巻線３に発生していた膨らみ部分Ｘが整形される。また、第２辺分１ｂと第３辺部１ｃとで巻線３が巻回されたコア２を挟み込む形になるので、巻線３の押さえつまり膨らみ部分Ｘの整形がより確実に行なわれる。
【００２３】
さらに巻線３の巻回を進めて、巻線３が再びコア２の上面側の整形治具１に対向した面を通過する前に、図２（ｃ）に示すように、整形治具１を巻線３より離すことで巻線の巻回作業を阻害しないようにする。なお、整形治具１は図２（ｂ）の巻線３の整形後すぐに巻線３より離すようにしても良い。
【００２４】
一方、巻線３がコア２下面側の整形治具１に対向した面を通過すると、図２（ｄ）に示すように整形治具１が移動して巻線３に接触する。この際、巻線治具１の第１辺部１ａ及び第２辺部１ｂにより、巻線３に発生していた膨らみ部分Ｘが整形される。また、第２辺分１ｂと第３辺部１ｃとで巻線３が巻回されたコア２を挟み込む形になるので、巻線３の押さえつまり膨らみ部分Ｘの整形がより確実に行なわれる。
【００２５】
さらに巻線３の巻回を進めて、巻線３が再びコア２の下面側の整形治具１に対向した面を通過する前に、図２（ａ）に示すように、整形治具１を巻線３より離すことで巻線の巻回作業を阻害しないようにし、以後この動作を繰り返し、巻線３を巻回していく。なお、こちらも整形治具１は図２（ｄ）の巻線３の整形後すぐに巻線３より離すようにしても良い。
【実施例２】
【００２６】
図３は本発明の実施例２に係る整形治具を示す外観斜視図である。
【００２７】
本例の整形治具１’において実施例１と異なる点は、第２辺部１ｂ’と第３辺部１ｃ’の何れか一方、若しくは両方において、巻線に最初に接触する角部が面取り部Ｒとして面取りされている点である。この面取り部Ｒを成形する事により、巻線３の膨らみ部分Ｘを整形する整形工程において、巻線３を第２、第３辺部の角部によって損傷させる恐れがなくなる。
【００２８】
面取り部Ｒは、図３のように角部をＲ加工した形状でも良いし、単純に直線的に面取りした形状でも良い。さらにはローラ等を成形しても本発明の目的は達成できる。
【００２９】
なお、本発明では第３辺部１ｃを成形しない構成でも実施可能である。この場合、巻線の押えはやや不確実になるが、整形時に巻線にかかる負荷をより軽くすることが可能であり、巻線治具の形状もより簡単なものになり、容易に整形が可能である。
【００３０】
また、整形治具は本実施例のような形状の他に、板状の部材をプレス整形したものでもよく、材質も金属、樹脂等の使用が可能である。
【図面の簡単な説明】
【００３１】
【図１】本発明の実施例１に係る整形治具を示す外観斜視図である。
【図２】（ａ）から（ｄ）は本発明の整形治具による巻線の整形工程を示す動作説明図である。
【図３】本発明の実施例２に係る整形治具を示す外観斜視図である。
【図４】従来のコアに巻回される巻線の状態を示した図である。
【符号の説明】
【００３２】
１，１’…整形治具
１ａ，１ａ’…第１辺部
１ｂ，１ｂ’…第２辺部
１ｃ，１ｃ’…第３辺部
２…コア
３…巻線
Ｒ…面取り部
Ｘ…膨らみ部分
【図１】
2009303464.tif 000003
【図２】
2009303464.tif 000004
【図３】
2009303464.tif 000005
【図４】
2009303464.tif 000006